(57)【要約】【課題】メンテナンス性に優れた空気調和機のフィルター装置を提供する。【解決手段】熱交換器（図示せず）を通過する空気に含まれる塵埃を集塵するエアフィルター２と、前記エアフィルター２で集塵された塵埃を除去する除去部材１４と、前記除去部材で除去された塵埃を埃収納部１０と、前記埃収納部１０に連通する吸引装置（図示せず）と、前記エアフィルター２を駆動するワイヤー（図示せず）を備えたもので、エアフィルター２に付着した塵埃を除去部材１４で掻き落として、埃収納部１０に集めつつ、吸引装置で吸引して、別途設けた集塵装置に集塵もしくは室外へ排出することが可能となり、メンテナンス性が大幅に向上する。【選択図】図２
2008190835.tif 000002
【特許請求の範囲】
【請求項１】
熱交換器を通過する空気に含まれる塵埃を集塵するエアフィルターと、前記エアフィルターで集塵された塵埃を除去する除去部材と、前記除去部材で除去された塵埃を収納する埃収納部と、前記埃収納部に連通する吸引装置と、前記エアフィルターを駆動する駆動手段を備えたことを特徴とする空気調和機のフィルター装置。
【請求項２】
駆動手段としてワイヤーを用いた請求項１に記載の空気調和機のフィルター装置。
【請求項３】
駆動手段としてタイミングベルトを用いた請求項１に記載の空気調和機のフィルター装置。
【請求項４】
請求項１〜３のいずれかの１項に記載された空気調和機のフィルター装置を備えた空気調和機。
【発明の詳細な説明】
【技術分野】
【０００１】
本発明は、空気調和機のエアフィルターの清掃を自動的に行う空気調和機のフィルター装置及びそれを用いた空気調和機に関するものである。
【背景技術】
【０００２】
従来の一般的な空気調和機においては、熱交換器の前面に、空気調和機の本体内部に埃が侵入するのを防ぐためのエアフィルターが設けられており、このエアフィルターは付着した塵埃を手で清掃できるように、空気調和機本体に着脱自在に取り付けられるようになっている。しかし、このようなエアフィルターは、頻繁なメンテナンスが必要となるだけでなく、メンテナンスが行われるまでの間には、エアフィルターが徐々に目詰まりしていき、その結果、熱交換器を通過する風量が低下し、空調能力が低下して消費電力の増大につながることとなる。
【０００３】
そこで、エアフィルターのメンテナンスの手間を低減する目的で、エアフィルターに付着した塵埃を、ブラシで定期的にしかも自動で清掃し、塵埃を回収箱に溜めておくようにした空気調和機のフィルター装置が提案されている（例えば、特許文献１参照）。
【特許文献１】特開２００１−９９４７９号公報
【発明の開示】
【発明が解決しようとする課題】
【０００４】
しかしながら、上記従来の空気調和機のフィルター装置の構成では、ある程度の時間が経過したらブラシで掻き落として回収箱に集めた塵埃を処理しなくてはならず、メンテナンスの手間が大幅に軽減されるものではなかった。
【０００５】
本発明は、前記従来の課題を解決するもので、メンテナンス性に優れた空気調和機のフィルター装置及び空気調和機を提供することを目的とするものである。
【課題を解決するための手段】
【０００６】
前記従来の課題を解決するために、本発明の空気調和機のフィルター装置は、熱交換器を通過する空気に含まれる塵埃を集塵するエアフィルターと、前記エアフィルターで集塵された塵埃を除去する除去部材と、前記除去部材で除去された塵埃を収納する埃収納部と、前記埃収納部に連通する吸引装置と、前記エアフィルターを駆動する駆動手段を備えたもので、エアフィルターに付着した塵埃を除去部材で掻き落として、埃収納部に集めつつ、吸引装置で吸引して、別途設けた集塵装置に集塵もしくは室外へ排出することが可能となり、メンテナンス性が大幅に向上する。
【発明の効果】
【０００７】
本発明の空気調和機のフィルター装置及び空気調和機は、エアフィルターに付着した塵埃の自動清掃が可能で、メンテナンス性にきわめて優れたものである。
【発明を実施するための最良の形態】
【０００８】
第１の発明は、熱交換器を通過する空気に含まれる塵埃を集塵するエアフィルターと、前記エアフィルターで集塵された塵埃を除去する除去部材と、前記除去部材で除去された塵埃を収納する埃収納部と、前記埃収納部に連通する吸引装置と、前記エアフィルターを駆動する駆動手段を備えたもので、エアフィルターに付着した塵埃を除去部材で掻き落として、埃収納部に集めつつ、吸引装置で吸引して、別途設けた集塵装置に集塵もしくは室外へ排出することが可能となり、メンテナンス性が大幅に向上する。
【０００９】
第２の発明は、特に、第１の発明の駆動手段としてワイヤーを用いたもので、簡単な構成で、エアフィルターを除去部材に摺接させながら移動できるので塵埃除去性能が向上する。
【００１０】
第３の発明は、特に、第１の発明の駆動手段としてタイミングベルトを用いたもので、付着した塵埃をより確実に掻き落とすことができるため、清掃性の向上が図れる。
【００１１】
第４の発明は、請求項１〜３のいずれかの１項に記載された空気調和機のフィルター装置を備えたもので、これによりエアフィルターに付着した塵埃を定期的に清掃する手間が省けるため、メンテナス性の向上が図れる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機のフィルター装置の斜視図であり、図２は、同空気調和機のフィルター装置の断面図（図１のＡ−Ａ断面）である。
【００１４】
図１、図２において、本実施の形態における空気調和機のフィルター装置１（以下「フィルター装置１」という）の下部には、エアフィルター２を巻き取る回転自在な巻取軸３と、駆動モータ４と、駆動モータ４に取り付けられワイヤー５を駆動させるギア６ａとが設けられ、フィルター装置１の上部には、エアフィルター２を引張り支持する回転自在な支持軸７と、この支持軸７に回転力を付加すると共にワイヤー５で回転駆動されるギア６ｂが設けられ、エアフィルター２を巻取軸３から支持軸７へ導くフレーム８がある。
【００１５】
このフレーム８の側面に、エアフィルター２を駆動可能とするワイヤー５とプーリー９が複数設けられ、またこのフレーム８の下部に埃収納部１０を設けている。
【００１６】
埃収納部１０は、吸引装置１１と連通して、吸引装置１１には、室外へ引き回されている排気ダクト１２が連結されている。そして、埃収納部１０の、吸引装置１１と反対側の端部には、外気を取り入れるための空気流入口１３を設けている。更に、図２に示すように、埃収納部１０の内部には、エアフィルター２の表面に接し、付着した塵埃を除去する除去部材１４が設けられている。
【００１７】
以上のように構成された本実施の形態におけるフィルター装置１について、以下その動作、作用を説明する。
【００１８】
エアフィルター２が汚れた場合、フィルター装置１を作動させると、駆動モータ４が回転動作し、駆動モータ４に取り付けられているギア６ａによりワイヤー５が回転し、エアフィルター２は、フレーム８に沿って下方に移動しながら、巻取軸３に巻き取られる。この時、エアフィルター２に付着していた塵埃は、除去部材１４で掻き落とされる。また、駆動モータ４の動作と同時に、吸引装置１１が作動するため、埃収納部１０に設けた空気流入口１３から流入する吸引風により、除去部材１４で掻き落とされて埃収納部１０に収納された塵埃は、吸引装置１１へと導かれ、排気ダクト１２を通って室外へ排出される。
【００１９】
そして、エアフィルター２が、巻取軸３に全て巻き取られたときに、駆動モータ４を逆回転させると、エアフィルター２は、ワイヤー５により、上部にエアフィルター２を引張り支持する回転自在な支持軸７と、この支持軸７に回転力を付加するギア６ｂが回転し、エアフィルター２が、フレーム８に沿って上に引張り上げられ、初期の状態に戻すことが
できる。
【００２０】
以上のように、本実施の形態によれば、エアフィルター２に付着した塵埃を自動で清掃できると共に、掻き落とされた塵埃が、室外に排出されるので、メンテナンスがきわめて容易である。
【００２１】
尚、上記実施の形態では、駆動モータ４の回転動力の巻取軸３や支持軸７への伝達をワイヤー５で行なったが、図３に示すように、ギア６ａ、ギア６ｂに張架したタイミングベルト５ａで行っても良い。
【００２２】
（実施の形態２）
図４は、本発明の第２の実施の形態における空気調和機の正面図、図５は、同空気調和機の断面図（図４のＢ−Ｂ断面）である。尚、上記第１の実施の形態における空気調和機のフィルター装置と同一部分については、同一符号を付してその説明を省略する。
【００２３】
図４、図５において、本実施の形態における空気調和機の本体１５の内部には、熱交換器１６が設けられ、空気の流路となる風流路１７が形成されている。この風流路１７内にはファン１８が配設され、それを運転することにより、本体１５の前面から上面に渡って形成された吸込口１９から室内の空気を吸い込み、熱交換器１６を通して、吹出口２０から吹出す空気の流れを発生させている。
【００２４】
そして、実施の形態１におけるフィルター装置１を、吸込口１９と熱交換器１６の間に、略Ｌ字状に配設している。
【００２５】
以上のように構成された本実施の形態における空気調和機によれば、吸込口１９から吸込まれた空気に含まれる塵埃はフィルター装置１で集塵されるため、熱交換器１６へ塵埃が付着することを防ぐことができる。また、実施の形態１で述べたように、フィルター装置１で集塵した塵埃は自動的に清掃処理されるため、メンテナンス性に優れた空気調和機を提供することができる。
【産業上の利用可能性】
【００２６】
以上のように、本発明にかかる空気調和機のフィルター装置及びそれを用いた空気調和機は、エアフィルターに付着した塵埃を自動で清掃でき、メンテナンス性に優れたもので、空気清浄機など空気中の塵埃を集塵するエアフィルターを装着した機器にも適用できる。
【図面の簡単な説明】
【００２７】
【図１】本発明の実施の形態１における空気調和機のフィルター装置の斜視図
【図２】同空気調和機のフィルター装置の断面図（図１のＡ−Ａ断面）
【図３】他の例を示す空気調和機のフィルター装置の斜視図
【図４】本発明の実施の形態２における空気調和機の正面図
【図５】同空気調和機の断面図（図４のＢ−Ｂ断面）
【符号の説明】
【００２８】
１  空気調和機のフィルター装置
２  エアフィルター
３  巻取軸
４  駆動モータ
５  ワイヤー（駆動手段）
５ａ  タイミングベルト（駆動手段）
６ａ、６ｂ  ギア
７  支持軸
８  フレーム
９  プーリー
１０  埃収納部
１１  吸引装置
１２  排気ダクト
１３  空気流入口
１４  除去部材
１５  本体
１６  熱交換器
１７  風流路
１８  ファン
１９  吸込口
２０  吹出口
【図１】
2008190835.tif 000003
【図２】
2008190835.tif 000004
【図３】
2008190835.tif 000005
【図４】
2008190835.tif 000006
【図５】
2008190835.tif 000007